(57)【要約】【課題】天井がわとＬＥＤ照明器具がわとを含んだ全体をトータルでみた場合の構造的な無駄を排除することができて、施工時間の短縮、コストの低減を実現することができるＬＥＤ照明システムを提供する。【解決手段】金属製溝形材からなる野縁１が、該溝形材の溝開口部１ａを下に向けるようにして設けられていると共に、該溝形材の溝内空間部にＬＥＤモジュール２が該溝形材を照明器具筺体とするようにして設置され、該ＬＥＤモジュール２の発光部２ａからの光が、前記溝形材の溝開口部１ａを通じて下方に放射されるようになされている。【選択図】      図１
2012022818.tif 000002
【特許請求の範囲】
【請求項１】
金属製溝形材からなる野縁が、該溝形材の溝開口部を下に向けるようにして設けられていると共に、該溝形材の溝内空間部にＬＥＤモジュールが該溝形材を照明器具筺体とするようにして設置され、該ＬＥＤモジュールの発光部からの光が、前記溝形材の溝開口部を通じて下方に放射されるようになされていることを特徴とするＬＥＤ照明システム。
【請求項２】
前記溝形材の両側壁の先端部のそれぞれに、内向きのリップと外向きのリップとが備えられ、
溝形材を挟む両側のそれぞれに、天井板が、その側縁部を前記外向きリップに支承させるようにして取り付けられていると共に、
両側部に側方に張り出す見切り板部を一体的に備えた見切り板付き透光カバーが、前記溝形材の両内向きリップに係合保持されることで該内向きリップ間にわたすように取り付けられ、該取付け状態において、見切り板付き透光カバーの見切り板は、天井板の下面がわに張り出して前記溝形材の外向きリップを背後に隠蔽している請求項１に記載のＬＥＤ照明システム。
【請求項３】
前記透光カバーがグレア防止カバーからなっている請求項２に記載のＬＥＤ照明システム。
【請求項４】
下面がわに見切り板を両側方張出し状態となるように一体的に備えた見切り板付き電源が、前記ＬＥＤモジュールと直列配置状態となるように、前記溝形材の両内向きリップに係合保持されることで該内向きリップ間にわたすように取り付けられ、該取付け状態において、見切り板付き電源の見切り板は、天井板の下面がわに張り出して前記溝形材の外向きリップを背後に隠蔽している請求項２又は３に記載のＬＥＤ照明システム。
【発明の詳細な説明】
【技術分野】
【０００１】
本発明は、ＬＥＤ照明システムに関する。
【背景技術】
【０００２】
従来のＬＥＤ照明システムでは、ＬＥＤモジュールを筺体内に設けたＬＥＤ照明器具を用い、これを天井に取り付けるというようにして施工されていた。
【先行技術文献】
【特許文献】
【０００３】
【特許文献１】特開２００５−２９４０９９号公報
【特許文献２】特開２００２−３４９００８号公報
【特許文献３】特開平０８−０９６６１６号公報
【発明の概要】
【発明が解決しようとする課題】
【０００４】
しかしながら、上記のようなＬＥＤ照明システムでは、天井がわの部品とＬＥＤ照明器具がわの部品とが、互いに完全に独立しており、そのため、天井がわとＬＥＤ照明器具がわとを含んだ全体をトータルでみた場合に、構造的な無駄が存在し、それが、施工時間を長引かせると共に、コスト上昇の原因になっているという問題があった。
【０００５】
本発明は、上記のような問題点に鑑み、天井がわとＬＥＤ照明器具がわとを含んだ全体をトータルでみた場合の構造的な無駄を排除することができて、施工時間の短縮、コストの低減を実現することができるＬＥＤ照明システムを提供することを課題とする。
【課題を解決するための手段】
【０００６】
上記の課題は、金属製溝形材からなる野縁が、該溝形材の溝開口部を下に向けるようにして設けられていると共に、該溝形材の溝内空間部にＬＥＤモジュールが該溝形材を照明器具筺体とするようにして設置され、該ＬＥＤモジュールの発光部からの光が、前記溝形材の溝開口部を通じて下方に放射されるようになされていることを特徴とするＬＥＤ照明システムによって解決される（第１発明）。
【０００７】
このシステムでは、天井板取付けの下地となる野縁を、ＬＥＤ照明器具の筺体として兼用する構成としているので、天井がわとＬＥＤ照明器具がわとを含んだ全体をトータルでみた場合の構造的な無駄を排除することができて、野縁の施工を終えれば同時にＬＥＤ照明器具の筺体の施工も終えることができて施工時間を短縮することが可能になり、また、こうした施工時間の短縮や上記の兼用による部品削減などによってコストも低減することが可能になる。
【０００８】
ＬＥＤは、他の照明に比べてコンパクトであり、本発明では、そのコンパクト性を利用して初めて野縁をＬＥＤ照明器具の筺体として兼用する構成としたものであり、その発想自体、これまでには思いも寄らなかった斬新なものである。
【０００９】
特に、ＬＥＤ照明は、その指向性により照度のムラを生じやすいという性質をもっているが、上記のように、天井板取付けの下地となる野縁をＬＥＤ照明器具の筺体として兼用する構成とすることにより、ＬＥＤモジュールを密に設けても、コストの上昇を低く抑えることができ、それによって、照度のムラを低減することが可能になる。
【００１０】
第１発明において、前記溝形材の両側壁の先端部のそれぞれに、内向きのリップと外向きのリップとが備えられ、
溝形材を挟む両側のそれぞれに、天井板が、その側縁部を前記外向きリップに支承させるようにして取り付けられていると共に、
両側部に側方に張り出す見切り板部を一体的に備えた見切り板付き透光カバーが、前記溝形材の両内向きリップに係合保持されることで該内向きリップ間にわたすように取り付けられ、該取付け状態において、見切り板付き透光カバーの見切り板は、天井板の下面がわに張り出して前記溝形材の外向きリップを背後に隠蔽しているのもよい（第２発明）。
【００１１】
この場合は、野縁をＬＥＤ照明器具の筺体として兼用するために、野縁を構成する溝形材を、溝開口部を下に向けるようにして設け、ＬＥＤモジュールの発光部からの光が、溝形材の溝開口部を通じて下方に放射されるようにしたことに関係して、天井板との取り合い関係を特定したものであり、
外向きリップによって、溝開口部を通じた下方への発光を確保しながら、天井板をしっかりと野縁に取り付けることができ、
しかも、内向きリップによって見切り板付き透光カバーを取り付けることで、該透光カバーの見切り板が天井板の下面がわに張り出して溝形材の外向きリップを背後に隠蔽するようにしているから、天井板と野縁との取付け関係を外に露出させない体裁良い外観仕上がり状態を得ることができ、
加えて、見切り板付き透光カバーは、見切り板部を一体的に備えたものであるから、透光カバーの取付けを行えば、同時に見切り板の取付けも終えることができて、施工を能率良く遂行していくことができる。
【００１２】
第２発明において、前記透光カバーがグレア防止カバーからなっているとよく（第３発明）、その場合は、ＬＥＤが高出力ＬＥＤからなる場合には特に、眩しさを抑えることができる。
【００１３】
第２、第３の発明において、下面がわに見切り板を両側方張出し状態となるように一体的に備えた見切り板付き電源が、前記ＬＥＤモジュールと直列配置状態となるように、前記溝形材の両内向きリップに係合保持されることで該内向きリップ間にわたすように取り付けられ、該取付け状態において、見切り板付き電源の見切り板は、天井板の下面がわに張り出して前記溝形材の外向きリップを背後に隠蔽しているのもよい（第４発明）。
【００１４】
この場合は、ＬＥＤモジュールと電源の納まりを施工容易なものすることができ、
しかも、電源設置部においても、見切り板付き電源の見切り板によって、天井板と野縁との取付け関係を外に露出させない体裁良い外観仕上がり状態を得ることができ、
加えて、見切り板付き電源は、下面がわに見切り板を一体的に備えたものであるから、電源の取付けを行えば、同時に見切り板の取付けも終えることができて、施工を能率良く遂行していくことができる。
【発明の効果】
【００１５】
本発明ＬＥＤ照明システムは、以上のとおりのものであるから、天井がわとＬＥＤ照明器具がわとを含んだ全体をトータルでみた場合の構造的な無駄を排除することができて、施工時間の短縮、コストの低減を実現することができる。
【図面の簡単な説明】
【００１６】
【図１】実施形態のＬＥＤ照明システムを示すもので、図（イ）はＬＥＤモジュールの存在する部分の断面正面図、図（ロ）はそれを分解状態にした断面正面図である。
【図２】同実施形態のＬＥＤ照明システムを示すもので、図（イ）は電源の存在する部分の断面正面図、図（ロ）はそれを分解状態にした断面正面図である。
【図３】天井面を示す図である。
【発明を実施するための形態】
【００１７】
次に、本発明の実施形態を図面に基づいて説明する。
【００１８】
図１〜図３に示す実施形態のＬＥＤ照明システムにおいて、１は野縁、２はＬＥＤモジュール、３は天井板、４は見切り板付き透光カバー、５は見切り板付き電源である。
【００１９】
野縁１は、図１及び図２に示すように、金属製溝形材からなっていて、該溝形材の溝開口部１ａを下に向けるようにして吊設されている。そして、図１に示すように、該溝形材の溝内空間部にＬＥＤモジュール２が該溝形材を照明器具筺体とするようにして設置され、該ＬＥＤモジュール２の発光部２ａからの光が、溝形材の溝開口部１ａを通じて下方に放射されるようになされている。
【００２０】
ＬＥＤモジュール２は、表面実装型などからなるＬＥＤパッケージによって構成されたＬＥＤ光源を、多数個、一列又は複数列にして、直線ライン状に列設して構成されたもので、野縁１を構成する溝形材の溝開口部１ａを通じて溝内空間部に設置したり、該溝内空間部から外に取り出すことができるようになされている。ＬＥＤがそもそもコンパクトであることから、ＬＥＤモジュール２のサイズに応じて、野縁１のサイズを普通よりも大きく設計する必要は一般的にはなく、従来、溝形材の溝開口部を上に向けて野縁としていた場合には、それとほぼ同じサイズの溝形材をその溝開口部を下に向けて野縁としているのにほぼ等しいという感覚である。
【００２１】
なお、野縁１を構成する溝形材の溝内空間部におけるＬＥＤモジュールの取付けの具体的態様については詳述しないが、ＬＥＤ照明器具の筺体の内部空間部にＬＥＤモジュールを取り付ける場合の態様と同様の態様で取り付けられていると考えてよい。
【００２２】
そして、上記の野縁１を構成する溝形材には、図１及び図２に示すように、その両側壁１ｂ，１ｂの先端部のそれぞれに、内向きのリップ１ｃ，１ｃと外向きのリップ１ｄ，１ｄとが設けられており、溝形材を挟む両側のそれぞれには、天井板３，３が、その側縁部を外向きリップ１ｄ，１ｄの上に支承させた状態に配設され、外向きリップ１ｄ，１ｄの下面がわから、釘又はビス６，６を打たれることで、野縁１に取り付けられている。
【００２３】
見切り板付き透光カバー４は、図１（ロ）に示すように、透光カバー本体部４ａの両側部に、側方に張り出す見切り板部４ｂ，４ｂを一体的に備えさせたもので、本実施形態では、透光カバー本体４ａとして、アクリル板等によるグレア防止カバーが用いられている。そして、該見切り板付き透光カバー４は、その上面がわの左右に位置して外向きの鉤部４ｃ，４ｃを備えており、該鉤部４ｃ，４ｃを野縁１の内向きリップ１ｃ，１ｃに係合保持させることで、該内向きリップ１ｃ，１ｃ間にわたすように取り付けられ、該取付け状態において、見切り板付き透光カバー４の見切り板４ｂ，４ｂが、天井板３，３の下面がわに張り出して、溝形材の外向きリップ１ｄ，１ｄを背後に隠蔽し、同時に、天井板３，３を止め付けている釘又はビス６，６も隠蔽するようになされている。
【００２４】
また、見切り板付き電源５は、図２（ロ）に示すように、電源本体５ａの下面がわに見切り板５ｂを両側方張出し状態となるように一体的に備えたもので、図３に示すように、ＬＥＤモジュール２と直列の状態となるように配置される。そして、該見切り板付き電源５は、見切り板付き透光カバー４と同様に、図２（ロ）に示すように、その上面がわの左右に位置して外向きの鉤部５ｃ，５ｃを備えており、該鉤部５ｃ，５ｃを野縁１の内向きリップ１ｃ，１ｃに係合保持させることで、該内向きリップ１ｃ，１ｃ間にわたすように取り付けられ、該取付け状態において、見切り板付き電源５の見切り板５ｂが、天井板３，３の下面がわに張り出して、溝形材の外向きリップ１ｄ，１ｄを背後に隠蔽し、同時に、天井板３，３を止め付けている釘又はビス６，６も隠蔽するようになされている。
【００２５】
上記のＬＥＤ照明システムでは、天井板取付けの下地となる野縁１を、ＬＥＤ照明器具の筺体として兼用する構成としているので、天井がわとＬＥＤ照明器具がわとを含んだ全体をトータルでみた場合の構造的な無駄を排除することができて、野縁１の施工を終えれば同時にＬＥＤ照明器具の筺体の施工も終えることができて施工時間を短縮することが可能になり、また、こうした施工時間の短縮や上記の兼用による部品削減などによってコストも低く抑えることが可能になる。
【００２６】
しかも、野縁１をＬＥＤ照明器具の筺体として兼用するために、野縁１を構成する溝形材を、溝開口部１ａを下に向けるようにして設け、ＬＥＤモジュール２の発光部２ａからの光が、溝形材の溝開口部１ａを通じて下方に放射されるようにしたこととの関係において、外向きリップ１ｄ，１ｄを設けたことにより、溝開口部１ａを通じた下方への発光を確保しながら、天井板３をしっかりと野縁１に取り付けることができ、また、内向きリップ１ｃを設け、見切り板付き透光カバー４を取り付けることで、該透光カバー４の見切り板４ｂを天井板３の下面がわに張り出させて溝形材の外向きリップ１ｄを背後に隠蔽するようにしているから、天井板３と野縁１との取付け関係を外に露出させない体裁良い外観仕上がり状態を得ることができ、見切り板付き透光カバー４は、見切り板部４ｂを一体的に備えたものであるから、透光カバー４の取付けを行えば、同時に見切り板４ｂの取付けも終えることができて、施工を能率良く遂行していくことができ、透光カバー本体４ａはグレア防止カバーからなっているので、発光部２ａが高出力ＬＥＤからなっている場合は、眩しさを抑えることができる。
【００２７】
見切り板付き電源５の採用により、ＬＥＤモジュール２と電源本体５ａの納まりを施工容易なものすることができ、電源設置部においても、見切り板付き電源５の見切り板５ｂによって、天井板３と野縁１との取付け関係を外に露出させない体裁良い外観仕上がり状態を得ることができ、見切り板付き電源５は、電源本体５ａの下面がわに見切り板５ｂを一体的に備えさせたものであるから、電源の取付けを行えば、同時に見切り板の取付けも終えることができて、施工を能率良く遂行していくことができる。
【００２８】
なお、図３に示すように、隣り合う野縁１の間隔寸法ａは３００〜４００ｍｍで、本実施形態では、３本に１本の割合で、野縁１にＬＥＤモジュール２…や電源５…が組み込まれている。その場合に、残る２本は、上記の野縁１と同じ野縁で構成し、下方に面する溝開口部は、見切り板で塞ぎ、該見切り板で、上記と同様に、溝形材の外向きリップ１ｄ，１ｄを背後に隠蔽し、同時に、天井板を止め付けている釘又はビスも隠蔽するようになされているのもよい。その場合は、同じ野縁１内においてＬＥＤモジュール２や電源５の位置を変更することができるのはもちろん、今までＬＥＤモジュール２や電源５を設けていなかった野縁に対してＬＥＤモジュール２や電源５を設けたり、今までＬＥＤモジュール２や電源５を設けていた野縁からＬＥＤモジュール２や電源５を取り外したりして、室のレイアウト変更に伴って、ＬＥＤモジュール２や電源５の位置を自由度高く変更することができる。また、２本に１本の割合や、隣り合う野縁１…に、密にＬＥＤモジュール２を設けていけば、指向性のために生じやすい照度のムラをなくすことができる。７…はデスクである。
【００２９】
以上に、本発明の実施形態を示したが、本発明はこれに限られるものではなく、発明思想を逸脱しない範囲で各種の変更が可能である。例えば、上記の実施形態では、野縁１に天井板３が取り付けられている場合の構成を示しているが、第１発明では、野縁は、天井板を取り付ける下地となりうるものであればよく、システムの構成としては、野縁が備えられていればよく、天井板は、野縁から取り外されていてもよい。
【符号の説明】
【００３０】
１…野縁
１ａ…溝開口部
１ｃ…内向きリップ
１ｄ…外向きリップ
２…ＬＥＤモジュール
２ａ…発光部
３…天井板
４…見切り板付き透光カバー
４ａ…透光カバー本体
４ｂ…見切り板
４ｃ…鉤部
５…見切り板付き電源
５ａ…電源本体
５ｂ…見切り板
５ｃ…鉤部
【図１】
2012022818.tif 000003
【図２】
2012022818.tif 000004
【図３】
2012022818.tif 000005